(57)【要約】      （修正有）【課題】ボックス本体内に底面フラップの折り込みを邪魔する部材が存在するファイルボックスにおいて、対をなす底面フラップを用いて簡単に組み立てることができる底壁を作ることが難しいという課題を解消する。【解決手段】底壁を構成する底面フラップ１５１〜１５３を有したボックス本体１と、このボックス本体１の内側に固定され前記底面フラップ１５１〜１５３を内側へ折り曲げることを阻害する本体固定部材である仕切り２と、対をなす底面フラップ１５１、１５２同士を内側に折り曲げることなく係合させるフラップ係合手段Ｋとを具備してなる構成を採用する。【選択図】図１８
2020116770.tif 000002
【特許請求の範囲】
【請求項１】
底壁を構成する底面フラップを有したボックス本体と、このボックス本体の内側に固定され前記底面フラップを内側へ折り曲げることを阻害する本体固定部材と、底面フラップを内側に折り曲げることなく係合させるフラップ係合手段とを具備してなることを特徴とするファイルボックス。
【請求項２】
前記フラップ係合手段が対をなす底面フラップ同士を内側に折り曲げることなく係合させるものであって、一方の底面フラップに設けられたスリットと、他方の底面フラップに設けられ前記スリットに差し込まれる差込み部とを備えたものである請求項１記載のファイルボックス。
【請求項３】
前記差込み部の突出寸法が、その突出端を前記本体固定部材に係止されている一方の底面フラップのスリットに部材の弾性変形を利用して到達させ得る値に設定されている請求項２記載のファイルボックス。
【請求項４】
前記本体固定部材が、前記ボックス本体内の空間を仕切る仕切りである請求項１、２、３又は４記載のファイルボックス。
【請求項５】
対をなす前記底面フラップ以外の底面フラップに凸部を設け、前記凸部を前記スリットに差し込んでいる請求項２、３又は４記載のファイルボックス。
【請求項６】
前記凸部が、前記差込み部に先んじて前記スリットに挿入されるものであり、当該凸部が、前記差込み部の前記スリットへの差し込み動作を案内する案内面を備えたものである請求項５記載のファイルボックス。
【請求項７】
前記フラップ係合手段が２つの底面フラップを係合させるものであって、一方の底面フラップに設けられた第１の鉤形凸部と、他方の底面フラップに設けられ前記第１の鉤形凸部に係合する第２の鉤形凸部とを備えたものである請求項１記載のファイルボックス。
【発明の詳細な説明】
【技術分野】
【０００１】
本発明は、折り畳み可能なファイルボックスに関する。
【背景技術】
【０００２】
オフィス等で使用されるファイルボックスとして、扁平な折り畳み姿勢と、箱形をなす使用姿勢とを採り得るものが開発されている。すなわち、従来のこの種ファイルボックスとしては、底壁を構成する底面フラップを有したボックス本体を備え、そのボックス本体を箱形に組み立てる際に前記底面フラップを相互に結合させて底壁を構成することができるようにしたものが知られている（例えば、特許文献１参照）。
【０００３】
ところが、従来のものは、対をなす底面フラップの一方に谷部を設けるとともに、他方に山部を設けておき、前記両底面フラップを一旦ボックス本体の内側に折り込んで前記山部を前記谷部に係合させ、しかる後にそれら底面フラップを外方に戻すことによって底壁が形成されるようになっている。
【０００４】
そのため、ボックス本体内に仕切板等の障害物が固定されている場合には底面フラップを内側に折り込むことができず、かかる底壁構造を採ることができない。
【先行技術文献】
【特許文献】
【０００５】
【特許文献１】実開昭６０−４８４６８号公報
【発明の概要】
【発明が解決しようとする課題】
【０００６】
本発明は、このような事情に着目してなされたもので、ボックス本体内に底面フラップの折り込みを邪魔する部材が存在すると、対をなす底面フラップを用いて簡単に組み立てることができる底壁を作ることが難しいという課題を解消しようとするものである。
【課題を解決するための手段】
【０００７】
請求項１記載の発明に係るファイルボックスは、底壁を構成する底面フラップを有したボックス本体と、このボックス本体の内側に固定され前記底面フラップを内側へ折り曲げることを阻害する本体固定部材と、底面フラップを内側に折り曲げることなく係合させるフラップ係合手段とを具備してなることを特徴とするものである。なお、本発明において「フラップ係合手段」とは、２つの底面フラップを係合させるものだけでなく、一方の側壁又は端壁に連続する底面フラップと他方の側壁又は端壁の下端部とを係合させるものも含む概念である。
【０００８】
請求項２記載の発明に係るファイルボックスは、請求項１記載のものにおいて、前記フラップ係合手段が対をなす底面フラップ同士を内側に折り曲げることなく係合させるものであって、一方の底面フラップに設けられたスリットと、他方の底面フラップに設けられ前記スリットに差し込まれる差込み部とを備えたものである。
【０００９】
請求項３記載の発明に係るファイルボックスは、請求項２記載のものにおいて、前記差込み部の突出寸法が、その突出端を前記本体固定部材に係止されている一方の底面フラップのスリットに部材の弾性変形を利用して到達させ得る値に設定されているものである。
【００１０】
請求項４記載の発明に係るファイルボックスは、請求項１、２、３又は４記載のものにおいて、前記本体固定部材が、前記ボックス本体内の空間を仕切る仕切りであるものである。
【００１１】
請求項５記載の発明に係るファイルボックスは、請求項２、３又は４記載のものにおいて、対をなす前記底面フラップ以外の底面フラップに凸部を設け、前記凸部を前記スリットに差し込んでいるものである。
【００１２】
請求項６記載の発明に係るファイルボックスは、請求項５記載のものにおいて、前記凸部が、前記差込み部に先んじて前記スリットに挿入されるものであり、当該凸部が、前記差込み部の前記スリットへの差し込み動作を案内する案内面を備えたものである。
【００１３】
請求項７記載の発明に係るファイルボックスは、請求項１記載のものにおいて、前記フラップ係合手段が２つの底面フラップを係合させるものであって、一方の底面フラップに設けられた第１の鉤形凸部と、他方の底面フラップに設けられ前記第１の鉤形凸部に係合する第２の鉤形凸部とを備えたものである。
【発明の効果】
【００１４】
本発明は、ボックス本体の内部に底面フラップの折り込みを阻害する邪魔な部材が固定されていても、簡単な操作により組み立てることができるファイルボックスを提供することができる。
【図面の簡単な説明】
【００１５】
【図１】本発明の一実施形態に係るファイルボックスを示す斜視図。
【図２】同実施形態に係るファイルボックスを示す正面図及び背面図。
【図３】同実施形態に係るファイルボックスを示す平面図及び底面図。
【図４】同実施形態に係るファイルボックスを示す右側面図。
【図５】同実施形態に係るファイルボックスを扁平に折り畳んだ状態を示す右側面図。
【図６】同実施形態に係るファイルボックスを扁平に折り畳んだ状態を示す左側面図。
【図７】図２におけるＸ−Ｘ線に沿った平断面を示す拡大図。
【図８】同実施形態に係るファイルボックスを折り畳む途中を示す部分平断面図。
【図９】同実施形態に係るファイルボックスを折り畳んだ状態を示す部分平断面図。
【図１０】図７におけるＡ部を拡大して示す拡大図。
【図１１】図９におけるＢ部を拡大して示す拡大図。
【図１２】同実施形態に係るボックス本体及び仕切り２を示す分解斜視図。
【図１３】同実施形態に係る左の側壁を構成する内板を外面側から見た展開図。
【図１４】同実施形態に係る右の側壁を構成する内板を外面側から見た展開図。
【図１５】同実施形態に係る化粧板を示す側面図。
【図１６】同実施形態に係る底壁の組み立て操作の手順を示す説明図。
【図１７】同実施形態に係る底壁の組み立て操作の手順を示す説明図。
【図１８】同実施形態に係る底壁の組み立て操作の手順を示す説明図。
【図１９】同実施形態に係る底壁の組み立て操作の手順を示す説明図。
【図２０】同実施形態に係る仕切りを外面側から見た展開図。
【図２１】同実施形態に係る取っ手を示す側面図。
【図２２】図２１におけるＹ−Ｙ線に沿った断面を示す拡大図。
【図２３】本発明の他の実施形態に係るファイルボックスの組み立て態様を示す図。
【図２４】本発明の他の実施形態に係るファイルボックスの組み立て態様を示す図。
【図２５】本発明の他の実施形態に係るファイルボックスの組み立て態様を示す図。
【図２６】本発明の他の実施形態に係るファイルボックスの組み立て態様を示す図。
【図２７】本発明の他の実施形態に係るファイルボックスの組み立て態様を示す図。
【発明を実施するための形態】
【００１６】
以下、本発明の一実施形態を、図１〜図２２を参照しつつ述べる。
【００１７】
本実施形態のファイルボックスＦは、底壁１５を構成する底面フラップ１５１〜１５３を有したボックス本体１と、このボックス本体１の内側に固定され底面フラップ１５１〜１５３を内側へ折り曲げることを阻害する本体固定部材たる仕切り２と、対をなす底面フラップ１５１、１５２同士を内側に折り曲げることなく係合させるフラップ係合手段Ｋとを具備してなる。換言すれば、このファイルボックスＦは、ボックス本体１と、このボックス本体１内を区画する仕切り２と、この仕切り２の両端をボックス本体１に固定する固定部３とを備えてなり、固定部３と仕切り２との相対角度を変化させつつボックス本体１を扁平に折り畳むことができるようにしたものである。
【００１８】
ここで、図１は、この実施形態に係るファイルボックスＦを示す斜視図、図２（ａ）は、同正面図、図２（ｂ）は、同背面図、図３（ａ）は、同平面図、図３（ｂ）は、同底面図、図４は、右側面図である。そして、図５は、ファイルボックスＦを扁平に折り畳んだ状態を示す右側面図、図６は同左側面図である。なお、この明細書においては、説明の便宜上図２（ａ）の正面図を基準にして「上」「下」「左」「右」という文言を使用しており、同正面図における手前を「前」、奥を「後」と称している。
【００１９】
詳述すれば、このファイルボックスＦは、対をなして対向する第一の周壁たる端壁１１、１２及び対をなして対向する第二の周壁たる側壁１３、１４を有するボックス本体１と、このボックス本体１内を左右に二等分するように区画する仕切り２と、この仕切り２の前後両端を端壁１１、１２にそれぞれ固定する固定部３１、３２とを備えてなり、ボックス本体１を左右の側壁１３、１４が仕切り２に当接又は近接するまで折り畳むことができるようになっている。図７は、ボックス本体１の使用姿勢（Ｕ）を示すＸ−Ｘ線に沿った平断面図であり、図８は、折り畳んでいる途中を示す部分平断面図であり、図９は扁平に折り畳んだ状態を示す部分平断面図である。そして、図１０は、図７におけるＡ部を拡大して示す拡大図、図１１は、図９におけるＢ部を拡大して示す拡大図である。
【００２０】
ボックス本体１は、左右の側壁１３、１４と、前後の端壁１１、１２と、底壁１５とを備えた箱形のもので、上面が開放されている。前の端壁１１は後の端壁１２よりも背が低く、側壁１３、１４の上縁は前方に向かって漸次低くなるように傾斜している。図１２は、ボックス本体１を後述する仕切り２とともに分解して示す斜視図である。
【００２１】
左右の側壁１３、１４は、図７〜図９、図１１及び図１２に示すように、それぞれ内板１３１、１４１の外面に化粧板１３２、１４２を張り付けた二重構造をなす周壁であり、化粧板１３２、１４２の厚さ寸法ｔ２（例えば、１．２ｍｍ）は、内板１３１、１４１の厚さ寸法ｔ１（例えば、０．７ｍｍ）よりも大きく設定されている。内板１３１、１４１及び化粧板１３２、１４２は、ポリプロピレン等の合成樹脂により作られたもので、化粧板１３２、１４２は溶着あるいは接着等により内板１３１、１４１の外面に張り付けられている。
【００２２】
前の端壁１１は、例えば、左の内板１３１の前縁から右方向に延出させた前外板１１１を主体に構成されたもので、前外板１１１の内面における左半部には、後述する仕切り２の前端に設けられた固定部３１が溶着等により張り付けられている。また、前外板１１１の内面における右半部には、右の内板１４１の前縁から左方向に延出させた前内板１１２が溶着等により張り付けられている。
【００２３】
後の端壁１２は、例えば、右の内板１４１の後縁から左方向に延出させた後外板１２１を主体に構成されたもので、後外板１２１の内面における右半部には、後述する仕切り２の後端に設けられた固定部３２が溶着等により張り付けられている。また、後外板１２１の内面における左半部には、左の内板１３１の後縁から右方向に延出させた後内板１２２が溶着等により張り付けられている。
【００２４】
すなわち、端壁１１、１２には側壁１３、１４の内板１３１、１４１のみが接続されており、化粧板１３２、１４２は端壁１１、１２及び底壁１５と独立である。
【００２５】
図１３は、左の側壁１３を構成する内板１３１を外面側から見た展開図であり、この内板１３１の前端（図中右端）には山折り線Ｌ１を介して前の端壁１１を構成する前外板１１１が一体に連続させてあるとともに、内板１３１の後端には山折り線Ｌ２を介して後の端壁１２を構成する後内板１２２が一体に連続させてある。そして、内板１３１の下端には、山折り線Ｌ３を介して底壁１５を構成する一方の底面フラップ１５１が一体に連続させてある。Ｌ１１は、前外板１１１と後述する底面フラップ１５３との境界を形成する山折り線である。
【００２６】
図１４は、右の側壁１４を構成する内板１４１を外面側から見た展開図であり、この内板１４１の後端（図中右端）には山折り線Ｌ４を介して後の端壁１２を構成する後外板１２１が一体に連続させてあるとともに、内板１３１の後端には山折り線Ｌ５を介して前の端壁１１を構成する前内板１１２が一体に連続させてある。そして、内板１４１の下端には、山折り線Ｌ６を介して底壁１５を構成する他方の底面フラップ１５２が一体に連続させてある。Ｌ１２は、後外板１１１と後述する底面フラップ１５３との境界を形成する山折り線である。
【００２７】
図１５は、前述した左の側壁１３を構成する内板１３１の外面に張り付けられる化粧板１３２を示す左側面図であり、この実施形態では、内板１３１よりも一回り小さく形成されている。右の化粧板１４２は左の化粧板１３２に準じたもので、右の側壁１４を構成する内板１４１の外面に張り付けられている。
【００２８】
底壁１５は、左右の側壁１３、１４の下縁に連続する対をなす底面フラップ１５１、１５２と、前後の端壁１１、１２の下縁に連続するそれ以外の底面フラップ１５３とを備えたもので、これらの底面フラップ１５１〜１５３に関連させてフラップ係合手段Ｋを備えている。フラップ係合手段Ｋは、左の側壁１３に連続する一方の底面フラップ１５１に設けられたスリット１５１ａと、右の側壁１４に連続する他方の底面フラップ１５２に設けられ前述のスリット１５１ａに差し込まれる差込み部１５２ａとを備えたものである。そして、差込み部１５２ａの突出寸法ｄは、その突出端１５２ｂを仕切り２に係止されている一方の底面フラップ１５１のスリット１５１ａに部材の弾性変形を利用して到達させ得る値に設定されている。また、これら一対の底面フラップ１５１、１５２以外の底面フラップ１５３には凸部１５３ａをそれぞれ設け、それらの凸部１５３ａをスリット１５１ａに差し込んでいる。これらの凸部１５３ａは、差込み部１５２ａに先んじてスリット１５１ａに挿入されるものであり、当該凸部１５３ａは、差込み部１５２ａの前記スリット１５１ａへの差し込み動作を案内する案内面である平滑面１５３ｂを備えたものである。
【００２９】
折り畳み状態における底壁１５は、図５及び図６に示すように、各底面フラップ１５１，１５２、１５３同士の係合が解かれ、対をなす底面フラップ１５１、１５２が側壁１２、１３と略面一に連続するように外方に展開されるとともに、他の底面フラップ１５３が前後の端壁１１、１２に略面一に連続するように展開されている。この状態から図１６〜図１９の操作を行うことによって、底壁１５を組み立てることができる。まず、扁平に折り畳まれているボックス本体１を使用姿勢（Ｕ）に準じた筒形にした上で、図１６に示すように、後述する仕切り２の下端鍔部２４、２５を水平に折り曲げてボックス本体１の下面開口部分を覆う状態とする。その上で、図１７に示すように、スリット１５１ａを有する一方の底面フラップ１５１を仕切り２の下端鍔部２４、２５の外面に被せ、しかる後に、図１８に示すように、他の底面フラップ１５３に設けられた凸部１５３ａをその底面フラップ１５１のスリット１５１ａに係合させる。これによって、底壁１５を構成するための３枚の底面フラップ１５１、１５３が相互に仮止めされ、曲げ癖によってボックス本体１が元の折り畳み姿勢（Ｓ）方向に戻ろうとするのを抑止することができる。この状態から、図１９に示すように、他方の底面フラップ１５２を厚み方向に弾性的に湾曲させながら差込み部１５２ａの先端を一方の底面フラップ１５１のスリット１５１ａに到達させ、その湾曲形状を平面形状に戻しつつその差込み部１５２ａをスリット１５１ａ内に深く挿入することにより底壁１５の組立てが完了する。すなわち、このファイルボックスＦにおいては、差込み部１５２ａの突出寸法ｄを従来のものに比べて小さく設定し、他方の底面フラップ１５２の弾性変形を利用してその差込み部１５２ａを一方の底面フラップ１５１のスリット１５１ａに係合させることができるようにしている。そのため、一方の底面フラップ１５１をボックス本体１の内部に一旦折り込むような動作を行うことなく、底壁１５を組み立てることができるようになっている。
【００３０】
仕切り２は、対をなす対面板２１、２２を備え、これら対面板２１、２２の上縁同士を接続部２３により接続した二重構造のものであり、その前後両端に固定部３１、３２がそれぞれ設けられている。この仕切り２の一端（前端）をボックス本体１に固定する一方の固定部３１は、当該仕切り２の一面（左側面）側に突出して第一の周壁である前の端壁１１に固定されたものであり、仕切り２の他端（後端）をボックス本体１に固定する他方の固定部３２は、当該仕切り２の他面（右側面）側に突出して第一の周壁である後の端壁１２に固定されたものである。これらの固定部３１、３２は、仕切り２の各対面板２１、２２に折り曲げ線Ｌ７、Ｌ８を介してそれぞれ一体に接続されている。そして、ボックス本体１を折り畳んだ状態で相互に近くなるもの同士の対面板２１、２２と固定部３１、３２とがそれぞれ接続されている。具体的には、図７〜図９及び図２０に示すように、この実施形態においては、左の対面板２１の後端に後の固定部３２が一体に接続されているとともに、右の対面板２２の前端に前の固定部３１が接続されている。そして、前の固定部３１が前の端壁１１の前外板１１１の左半部に溶着等により止着されているとともに、後の固定部３２が後の端壁１２の後外板１２１の右半部に溶着等により止着されている。そして、左右の対面板２１、２２の各下端には、折り曲げ線Ｌ９、Ｌ１０を介して下端鍔部２４、２５がそれぞれ一体に接続されている。なお、右の対面板２２の後縁には突起２６が突設されているとともに、左の対面壁２１の後縁に接続された後の固定部３２の基端近傍部にはスリット２７が形成されており、後の固定部３２が対面板２１、２２に対して直角となる使用姿勢（Ｕ）においては、図１０に示すように、突起２６がスリット２７に嵌合するようになっている。Ｌ１３は、対面板２１、２２と接続部２３との境界を形成する折り曲げ線である。なお、図１〜図３、図５、図７〜図１２及び図２０においては、以上説明した仕切り２の下端鍔部２４、２５以外の部分にパターンを施して当該仕切り２の存在が目立つようにしてある。
【００３１】
しかして、ボックス本体１を折り畳む前の使用姿勢（Ｕ）においては、図３、図７及び図１２に示すように、仕切り２と両固定部３１、３２とが全体としてＳ字状に配されている。そして、ボックス本体１は、仕切り２と両固定部３１、３２とが全体としてＳ字状から一直線状となる方向に、換言すれば仕切り２と両固定部３１、３２とが正面視Ｓ字状をなす使用姿勢（Ｕ）から略一直線状に展開される展開姿勢たる折り畳み姿勢（Ｓ）まで変形する方向に折り畳み可能である。図９及び図１１は、ボックス本体１を折り畳むことにより仕切り２と両固定部３１、３２とが略一直線状になった状態を示している。なお、接続部２３には、その長手方向中間部に取っ手４が通過可能なスリット状をなす把手挿通部分２３ａが形成されている。図１１においては、端壁１２を構成する外板１２１及び内板１２２の厚みを誇張して示しているため、仕切り２の対面板２１と固定部３２との間に比較的大きな段差が存在するように見えるが、実際には外板１２１及び内板１２２は薄いものであるため、これら対面板２１と固定部３２とは折り畳み姿勢（Ｓ）では略一直線状をなしている。
【００３２】
取っ手４は、仕切り２に対して、その上縁が後の端壁１２の上縁とほぼ同じ高さ位置又は低い位置となる没入位置（Ｐ）と、その上縁が後の端壁１２の上縁よりも上方となる引き出し位置（Ｑ）との間で突没動作可能に設けられたものである。図４における実線はこの取っ手４を没入位置（Ｐ）に収納させた状態を示しており、図４における想像線はこの取っ手４を引き出し位置（Ｑ）に引き出した状態を示している。没入位置（Ｐ）においては、取っ手４の上縁が後の端壁１２の上縁とほぼ同じ高さ位置又は低い位置となるが、この取っ手４の把持部４ａはこの没入位置（Ｐ）においても露出するように構成されている。把持部４ａは、図４、図５及び図２２に示すように、前後に伸びる長円形の貫通孔により構成されており、その貫通孔の前後両縁及び上縁には、肉厚部分４ａ１、４ａ２が形成されている。前後両縁の肉厚部分４ａ１は、上端側が上縁の肉厚部分４ａ２と同じ厚みを有し、下方に向かって漸次厚みが減少するような形状をなしている。
【００３３】
このような構成のものであれば、フラップ係合手段Ｋを利用することにより、対をなす底面フラップ１５１、１５２同士をボックス本体１の内部に一旦折り込むような動作を伴うことなく係合させて底壁１５を組み立てることができるので、ボックス本体１の内側に固定され底面フラップ１５１、１５２を内側へ折り曲げることを阻害する本体固定部材たる仕切り２が存在するにも関わらず、対をなす底面フラップ１５１、１５２を用いて簡単に底壁１５を組み立てる構成を実現できる。
【００３４】
フラップ係合手段Ｋが、一方の底面フラップ１５１に設けられたスリット１５１ａと、他方の底面フラップ１５２に設けられスリット１５１ａに差し込まれる差込み部１５２ａとを備えたものであるので、スリット１５１ａを有する一方の底面フラップ１５１を仕切り２の下端鍔部２４、２５の外面に被せた後、差込み部１５２ａを弾性変形させてスリット１５１ａに挿入する簡単な操作によりこれらスリット１５１ａと差込み部１５２ａとを係合させて底壁１５を組み立てることができる。
【００３５】
差込み部１５２ａの突出寸法ｄが、その突出端１５２ｂを仕切り２の下端鍔部２４、２５の外面に被せた一方の底面フラップ１５１のスリット１５１ａに部材の弾性変形を利用して到達させ得る値に設定されているので、差込み部１５２ａの突出寸法ｄを従来のものに比べて小さく設定しつつ対をなす底面フラップ１５１、１５２同士を係り合わせることができる。
【００３６】
底面フラップ１５１、１５２を内側へ折り曲げることを阻害する本体固定部材が、ボックス本体１内の空間を仕切る仕切り２であるので、この仕切り２の両側の空間を収納物である紙葉類に印刷された内容等により適宜使い分けるようにすることができる。
【００３７】
対をなす底面フラップ１５１、１５２以外の底面フラップ１５３に凸部１５３ａを設け、その凸部１５３ａをスリット１５１ａに差し込んでいるので、底面フラップ１５１、１５３を相互に仮止めし、曲げ癖によってボックス本体１が元の折り畳み姿勢（Ｓ）方向に戻ろうとするのを抑止することができる。
【００３８】
そして、前後の端壁１１、１２に連続する底面フラップ１５３の凸部１５３ａが、底面フラップ１５２の差込み部１５２ａに先んじてスリット１５１ａに挿入されるものであり、当該凸部１５３ａが、差込み部１５２ａのスリット１５１ａへの差し込み動作を案内する案内面である平滑面１５３ｂを備えているので、差込み部１５２ａのスリット１５１ａへの差し込み動作を円滑に行うことができる。但し、差込み部１５２ａのスリット１５１ａへの差し込み動作を案内する案内面は平滑なものでなくても、差込み部１５２ａのスリット１５１ａへの差し込み動作を案内することはできる。
【００３９】
なお、本発明は以上に述べた実施形態に限らない。
【００４０】
例えば、本体固定部材は、仕切りに限らない。すなわち、本発明は底壁を組み立てるにあたり何らかの本体固定部材の存在により底面フラップを内側に折り畳むことができない事情があるファイルボックスに広く適用することが可能である。
【００４１】
また、フラップ係合手段も、上述した実施形態のようなものに限らない。例えば、図２３に示すファイルボックスＦ２のように、差込み部１５２ａの突出端１５２ｂをスリット１５１ａの外側の端を越えてさらに深く挿入できるようにする態様のものが考えられる。なお、図２３において、上述した実施形態におけるものに対応する各部位には、同一の符号を付している。その他、差込み部の突出寸法は任意に設定してよい。
【００４２】
さらに、スリットと差込部とを利用する以外の態様のフラップ係合手段を採用してもよい。例えば、図２４に示すように、左右の側壁１３、１４の下縁に連続する第１の対をなす底面フラップ１５１、１５２と、前後の端壁１１、１２の下縁に連続する第２の対をなす底面フラップ１５４、１５５とを備えたファイルボックスＦ３において、第２の対をなすうちの一方の底面フラップ１５４に設けられた第１の鉤形凸部１５４ａと、他方の底面フラップ１５５に設けられ第１の鉤形凸部１５４ａに係合する第２の鉤形凸部１５５ａとを備えたフラップ係合手段Ｋ２を有するものが挙げられる。なお、図２４において、図１〜図２２を参照しつつ上述した実施形態におけるものに対応する各部位には、同一の符号を付している。図２４を参照しつつ説明した実施形態では、第２の対をなす底面フラップ１５４、１５５同士を係合させるフラップ係合手段Ｋ２のみに第１、第２の鉤形凸部１５４ａ、１５５ａを係合させてなる構成を採用しているが、第１の対をなす底面フラップ１５１、１５２同士を係合させるフラップ係合手段にも第１、第２の鉤形凸部１５４ａ、１５５ａを係合させてなる構成を採用してもよい。
【００４３】
加えて、互いに隣接する側壁及び端壁の下縁にそれぞれ連続する２つの底面フラップを係合させるフラップ係合手段を利用する図２５に示すファイルボックスＦ４のような態様を採用してもよい。すなわち、フラップ係合手段Ｋ３が、側壁１３、１４の下縁に連続する底面フラップ１５６に設けられた第１の鉤形凸部１５６ａと、端壁１１、１２に連続する底面フラップ１５７に設けられ前記第１の鉤形凸部１５６ａに係合する第２の鉤形凸部１５７ａとを備え、これらを係合させるように構成されたものであってもよい。なお、図２５において、図１〜図２２を参照しつつ上述した実施形態におけるものに対応する各部位には、同一の符号を付している。
【００４４】
フラップ係合手段は、２つの底面フラップを係合させるものだけでなく、一方の側壁又は端壁に連続する底面フラップと他方の側壁又は端壁の下端部とを係合させるものであってもよい。このようなものの例として、図２６に示すファイルボックスＦ５のようなものや、図２７に示すファイルボックスＦ６のようなものが挙げられる。
【００４５】
図２６のファイルボックスＦ５では、左の側壁１３の下端に連続する底面フラップ１５８がボックス本体１の内部空間全体を被覆しうる寸法に設定されているとともに、その先端に折り曲げ線Ｌ２１を介して差込片１５８ａが設けられている。その上で、このファイルボックスＦ５には、以下に述べるようなフラップ係合手段Ｋ４が設けられている。このフラップ係合手段Ｋ４は、差込片１５８ａを右の側壁１４の下端部の内面に対向させた姿勢とすることにより、底面フラップ１５８を内側に折り曲げることなくこれら底面フラップ１５８と右の側壁１４の下端部とを係合させるものである。
【００４６】
図２７のファイルボックスＦ６は、以下に述べる点を除き前段で述べたファイルボックスＦ５と同様の構成を有する。このファイルボックスＦ６では、差込片１５８ａの基端部にスリット１５８ｂが設けられているとともに、右の側壁１４の下端部におけるスリット１５８ｂに対応する巾方向位置に切起片１４０が設けられており、この切起片１４０の先端に折り曲げ線Ｌ２２を介して差込係止片１４０ａが設けられている。そして、このファイルボックスＦ６には、以下に述べるようなフラップ係合手段Ｋ５が設けられている。このフラップ係合手段Ｋ５は、差込片１５８ａを右の側壁１４の下端部の内面に対向させた姿勢とした上で、差込係止片１４０ａをスリット１５８ｂ内部に差し込んでこれらを係合させることにより、底面フラップ１５８を内側に折り曲げることなくこれら底面フラップ１５８と右の側壁１４の下端部とを係合させるものである。図２６及び図２７において、図１〜図２２を参照しつつ上述した実施形態におけるものに対応する各部位には、同一の符号を付している。
【００４７】
そして、上述した実施形態では、前述したように、曲げ癖によってボックス本体が元の折り畳み姿勢方向に戻ろうとするのを抑止すべく、前後の端壁に連続する底面フラップに凸部を設け、その凸部をスリットに差し込むようにしているが、紙製のもの等、曲げ癖によってボックス本体が元の折り畳み姿勢方向に戻る懸念が少ないものであれば、フラップ係合手段により係合させるもの以外の底面フラップの凸部は省略してもよい。また、他の手段によりボックス本体が元の折り畳み姿勢方向に戻ろうとするのを抑止してもよい。
【００４８】
加えて、フラップ係合手段により係合させるもの以外の底面フラップの凸部の平滑面を利用する以外の手段により差込み部のスリットへの差し込み動作を案内する態様や、このような案内を行う手段を省略する態様を採用してもかまわない。
【００４９】
その他、本発明の趣旨を損ねない範囲で種々に変形してよい。
【符号の説明】
【００５０】
Ｆ、Ｆ２〜Ｆ６…ファイルボックス
１…ボックス本体
１５…底壁
１５１、１５４、１５６…（一方の）底面フラップ
１５１ａ…スリット
１５４ａ、１５６ａ…第１の鉤形凸部
１５２、１５５、１５７…（他方の）底面フラップ
１５２ａ…（他方の）差込み部
１５２ｂ…突出端
１５５ａ、１５７ａ…第２の鉤形凸部
１５３…（その他の）底面フラップ
１５３ａ…凸部
１５３ｂ…案内面（平滑面）
２…本体固定部材（仕切り）
Ｋ、Ｋ２〜Ｋ５…フラップ係合手段
ｄ…突出寸法
【図１】
2020116770.tif 000003
【図２】
2020116770.tif 000004
【図３】
2020116770.tif 000005
【図４】
2020116770.tif 000006
【図５】
2020116770.tif 000007
【図６】
2020116770.tif 000008
【図７】
2020116770.tif 000009
【図８】
2020116770.tif 000010
【図９】
2020116770.tif 000011
【図１０】
2020116770.tif 000012
【図１１】
2020116770.tif 000013
【図１２】
2020116770.tif 000014
【図１３】
2020116770.tif 000015
【図１４】
2020116770.tif 000016
【図１５】
2020116770.tif 000017
【図１６】
2020116770.tif 000018
【図１７】
2020116770.tif 000019
【図１８】
2020116770.tif 000020
【図１９】
2020116770.tif 000021
【図２０】
2020116770.tif 000022
【図２１】
2020116770.tif 000023
【図２２】
2020116770.tif 000024
【図２３】
2020116770.tif 000025
【図２４】
2020116770.tif 000026
【図２５】
2020116770.tif 000027
【図２６】
2020116770.tif 000028
【図２７】
2020116770.tif 000029